(57)【要約】      （修正有）【課題】コインを収納でき、且つ自動的にそれを整理し、所定の値を設定し、取られるコインがいずれも定の値の整数倍に表示され、装飾効果がある水晶貯金箱を提供する。【解決手段】水晶貯金箱は、水晶貯金箱主体１０を含み、前記水晶貯金箱主体の中には球形の貯金溝１２が設置され、前記貯金溝の中には貯金機構６０が設置され、前記貯金機構の上端壁には方形ブロック１６が固定的に設置され、前記方形ブロックの中には上方に開口した方形溝１７が設置され、前記方形溝の上端壁が貯金孔１８により外部と連通しており、この装置がコインを収納でき、且つ自動的にそれを整理し、所定の値を設定し、取られるコインがいずれも定の値の整数倍に表示される。外装は水晶の材質であり、出し入れの状況を示すことができ、装飾効果があり、且つ四つのゴム支え４２があり、水晶が壊れるのを防ぐ。【選択図】図１
2020179078.tif 000002
【特許請求の範囲】
【請求項１】
水晶貯金箱主体を含み、前記水晶貯金箱主体の中には球形の貯金溝が設置され、前記貯金溝の中には貯金機構が設置され、前記貯金機構の上端壁には方形ブロックが固定的に設置され、前記方形ブロックの中には上方に開口した方形溝が設置され、前記方形溝の上端壁が貯金孔により外部と連通しており、前記方形ブロックの右端面には斜めブロックが固定的に設置され、前記斜めブロックの中には前記貯金溝と前記方形溝とを連通している斜め溝が設置され、前記方形溝の中には昇降板がスライドできるように設置され、前記昇降板の下端面には下端が前記方形溝と固定的に連結される昇降バネは左右に対称的に固定的に設置され、前記昇降板の下端面の中心位置には下端が前記貯金溝の中に位置した長ロッドが固定的に設置され、前記貯金溝の右端壁には電源ブロックが固定的に設置され、前記貯金溝の右端壁の中には移動溝が設置され、前記移動溝の左端壁が運動溝により前記貯金溝と連通しており、前記移動溝の中には移動ブロックがスライドできるように設置され、前記移動ブロックの下端壁には移動バネと伝動ロッドとが固定的に設置され、前記伝動ロッドが前記移動バネの右側に位置しており、前記移動バネの下端と前記移動溝の下端壁とが固定的に連結され、前記移動ブロックの左端面には左端が前記貯金溝の中に位置した伝動軸は固定的に設置され、前記運動溝の中において伝動軸には伝動プーリが固定的に設置され、前記伝動軸の左端には前記電源ブロックと連通した電磁石が固定的に設置され、前記電磁石の左端面には溝ブロックが固定的に設置され、前記溝ブロックの中には左方に開口したコイン溝が設置され、前記貯金機構の下側には伝動機構が設置され、前記伝動機構は前記運動溝の下端壁の中に位置した回転溝を含み、前記回転溝の下端壁と左端壁とが前記貯金溝を連通しており、前記回転溝の右端壁には左端が前記貯金溝の中に位置した細軸が回転できるように設置され、前記回転溝の中において細軸には台形ブロックが固定的に設置され、前記台形ブロックの右側には前記細軸とスライドできるように連結される弧形面ブロックがスライドできるように連結され、前記細軸の中には下方に開口した弾性溝が設置され、前記弾性溝の右端壁には弾性バネが固定的に設置され、前記弾性バネの左端には前記弾性溝とスライドできるように連結され、且つ下端が前記弧形面ブロックと固定的に連結される弾性ロッドが固定的に設置され、前記台形ブロックと前記弧形面ブロックとの間がベルトにより前記伝動プーリと摩擦により伝動され、前記貯金溝の左端壁には太い軸が回転できるように設置され、前記太い軸には伝動歯車が固定的に設置され、前記太い軸と前記細軸との間には大爪車ブロックが設置され、また、前記長ロッドが下がる時に前記伝動歯車と噛み合うことができ、それにより前記大爪車ブロックを回転連動させ、前記大爪車ブロックが一方向にしか回転できないことを特徴とする水晶貯金箱。
【請求項２】
前記移動溝の下端壁の中には右方に開口した横向き溝が設置され、前記伝動ロッドの下端が前記横向き溝の中に位置しており、前記横向き溝の上下端壁には定位ブロックが対称的に固定的に設置され、前記横向き溝の左端壁には短軸が回転できるように設置され、前記短軸の右側には小爪車ブロックにより長軸が設置され、前記長軸には回転ブロックが固定的に設置され、前記長軸の右端には目盛りブロックが固定的に設置され、前記目盛りブロックの右端面には調節ブロックが固定的に設置され、前記目盛りブロックの中には六つの数値ブロックが均一に植設され、また、前記伝動ロッドが下がる時に前記小爪車ブロックと噛み合われ、それにより前記長軸を回転連動させ、前記伝動ロッドが上昇する時に前記長軸を回転連動させないことを特徴とする請求項１に記載の水晶貯金箱。
【請求項３】
前記水晶貯金箱主体の外端面には四つのゴム支えが均一に固定的に設置され、前記貯金溝の下端壁には閉止板がヒンジにより連結され、前記貯金溝の下端壁の中には右方に開口したリミット溝が設置され、前記閉止板の中には左方に開口した弾力溝が設置され、前記弾力溝の右端壁には弾力バネが固定的に設置され、前記弾力バネの左端には左端が前記リミット溝の中に位置した三角ブロックが固定的に設置され、前記三角ブロックの上端壁の中には長軸が植設され、前記閉止板の下端面にはハンドルが固定的に設置され、また、前記ハンドルを引き動かして前記三角ブロックを前記リミット溝から取り出すことができ、それにより前記貯金溝の下端壁を外部と連通させることを特徴とする請求項１に記載の水晶貯金箱。
【発明の詳細な説明】
【技術分野】
【０００１】
本発明は水晶分野に関わり、具体的には水晶貯金箱である。
【背景技術】
【０００２】
水晶貯金箱は水晶の透明且つ美しい性質を利用して設計された出し入れツールであり、しかし既存の水晶貯金箱の機能は単一であり、ほとんどは外観デザインをしており、内部の出し入れに対しての設計をしていなく、貯金が便利ではなく、且つ水晶製品は壊れやすい。
【先行技術文献】
【特許文献】
【０００３】
【特許文献１】中国特許出願公開第108065532号明細書
【発明の概要】
【発明が解決しようとする課題】
【０００４】
本発明は水晶貯金箱を提供し、既存技術にある上記の欠点を解消することを目的とする。
【課題を解決するための手段】
【０００５】
本発明の水晶貯金箱は、水晶貯金箱主体を含み、前記水晶貯金箱主体の中には球形の貯金溝が設置され、前記貯金溝の中には貯金機構が設置され、前記貯金機構の上端壁には方形ブロックが固定的に設置され、前記方形ブロックの中には上方に開口した方形溝が設置され、前記方形溝の上端壁が貯金孔により外部と連通しており、前記方形ブロックの右端面には斜めブロックが固定的に設置され、前記斜めブロックの中には前記貯金溝と前記方形溝とを連通している斜め溝が設置され、前記方形溝の中には昇降板がスライドできるように設置され、前記昇降板の下端面には下端が前記方形溝と固定的に連結される昇降バネは左右に対称的に固定的に設置され、前記昇降板の下端面の中心位置には下端が前記貯金溝の中に位置した長ロッドが固定的に設置され、前記貯金溝の右端壁には電源ブロックが固定的に設置され、前記貯金溝の右端壁の中には移動溝が設置され、前記移動溝の左端壁が運動溝により前記貯金溝と連通しており、前記移動溝の中には移動ブロックがスライドできるように設置され、前記移動ブロックの下端壁には移動バネと伝動ロッドとが固定的に設置され、前記伝動ロッドが前記移動バネの右側に位置しており、前記移動バネの下端と前記移動溝の下端壁とが固定的に連結され、前記移動ブロックの左端面には左端が前記貯金溝の中に位置した伝動軸は固定的に設置され、前記運動溝の中において伝動軸には伝動プーリが固定的に設置され、前記伝動軸の左端には前記電源ブロックと連通した電磁石が固定的に設置され、前記電磁石の左端面には溝ブロックが固定的に設置され、前記溝ブロックの中には左方に開口したコイン溝が設置され、前記貯金機構の下側には伝動機構が設置され、前記伝動機構は前記運動溝の下端壁の中に位置した回転溝を含み、前記回転溝の下端壁と左端壁とが前記貯金溝を連通しており、前記回転溝の右端壁には左端が前記貯金溝の中に位置した細軸が回転できるように設置され、前記回転溝の中において細軸には台形ブロックが固定的に設置され、前記台形ブロックの右側には前記細軸とスライドできるように連結される弧形面ブロックがスライドできるように連結され、前記細軸の中には下方に開口した弾性溝が設置され、前記弾性溝の右端壁には弾性バネが固定的に設置され、前記弾性バネの左端には前記弾性溝とスライドできるように連結され、且つ下端が前記弧形面ブロックと固定的に連結される弾性ロッドが固定的に設置され、前記台形ブロックと前記弧形面ブロックとの間がベルトにより前記伝動プーリと摩擦により伝動され、前記貯金溝の左端壁には太い軸が回転できるように設置され、前記太い軸には伝動歯車が固定的に設置され、前記太い軸と前記細軸との間には大爪車ブロックが設置され、また、前記長ロッドが下がる時に前記伝動歯車と噛み合うことができ、それにより前記大爪車ブロックを回転連動させ、前記大爪車ブロックが一方向にしか回転できない。
【０００６】
更の技術プラン、前記移動溝の下端壁の中には右方に開口した横向き溝が設置され、前記伝動ロッドの下端が前記横向き溝の中に位置しており、前記横向き溝の上下端壁には定位ブロックが対称的に固定的に設置され、前記横向き溝の左端壁には短軸が回転できるように設置され、前記短軸の右側には小爪車ブロックにより長軸が設置され、前記長軸には回転ブロックが固定的に設置され、前記長軸の右端には目盛りブロックが固定的に設置され、前記目盛りブロックの右端面には調節ブロックが固定的に設置され、前記目盛りブロックの中には六つの数値ブロックが均一に植設され、また、前記伝動ロッドが下がる時に前記小爪車ブロックと噛み合われ、それにより前記長軸を回転連動させ、前記伝動ロッドが上昇する時に前記長軸を回転連動させない。
【０００７】
更の技術プラン、前記水晶貯金箱主体の外端面には四つのゴム支えが均一に固定的に設置され、前記貯金溝の下端壁には閉止板がヒンジにより連結され、前記貯金溝の下端壁の中には右方に開口したリミット溝が設置され、前記閉止板の中には左方に開口した弾力溝が設置され、前記弾力溝の右端壁には弾力バネが固定的に設置され、前記弾力バネの左端には左端が前記リミット溝の中に位置した三角ブロックが固定的に設置され、前記三角ブロックの上端壁の中には長軸が植設され、前記閉止板の下端面にはハンドルが固定的に設置され、また、前記ハンドルを引き動かして前記三角ブロックを前記リミット溝から取り出すことができ、それにより前記貯金溝の下端壁を外部と連通させる。
【発明の効果】
【０００８】
本発明の有益的な効果は、この装置がコインを収納でき、且つ自動的にそれを整理し、所定の値を設定し、取られるコインがいすれも定の値の整数倍に表示され、人々の取りに便利で、自分で集計する必要がなく、時間を節約し、且つ外装は水晶の材質であり、出し入れの状況を示すことができ、装飾効果があり、且つ四つのゴム支えがあり、水晶が壊れるのを防ぐ。
【図面の簡単な説明】
【０００９】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１０】
【図１】図１は本発明の水晶貯金箱の全体全断面の正面構成概略図
【図２】図２は図１の中のＡの拡大構成概略図
【図３】図３は図１の中のＢの拡大構成概略図
【図４】図４は図１の中のＣ−Ｃの拡大構成概略図
【図５】図５は図２の中のＤ−Ｄの構成概略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜５を参照し、本発明の水晶貯金箱は、水晶貯金箱主体１０を含み、前記水晶貯金箱主体１０の中には球形の貯金溝１２が設置され、前記貯金溝１２の中には貯金機構６０が設置され、前記貯金機構６０の上端壁には方形ブロック１６が固定的に設置され、前記方形ブロック１６の中には上方に開口した方形溝１７が設置され、前記方形溝１７の上端壁が貯金孔１８により外部と連通しており、前記方形ブロック１６の右端面には斜めブロック２１が固定的に設置され、前記斜めブロック２１の中には前記貯金溝１２と前記方形溝１７とを連通している斜め溝２０が設置され、前記方形溝１７の中には昇降板１９がスライドできるように設置され、前記昇降板１９の下端面には下端が前記方形溝１７と固定的に連結される昇降バネ１５は左右に対称的に固定的に設置され、前記昇降板１９の下端面の中心位置には下端が前記貯金溝１２の中に位置した長ロッド１４が固定的に設置され、前記貯金溝１２の右端壁には電源ブロック３２が固定的に設置され、前記貯金溝１２の右端壁の中には移動溝２８が設置され、前記移動溝２８の左端壁が運動溝２５により前記貯金溝１２と連通しており、前記移動溝２８の中には移動ブロック２７がスライドできるように設置され、前記移動ブロック２７の下端壁には移動バネ２９と伝動ロッド３０とが固定的に設置され、前記伝動ロッド３０が前記移動バネ２９の右側に位置しており、前記移動バネ２９の下端と前記移動溝２８の下端壁とが固定的に連結され、前記移動ブロック２７の左端面には左端が前記貯金溝１２の中に位置した伝動軸２４は固定的に設置され、前記運動溝２５の中において伝動軸２４には伝動プーリ２６が固定的に設置され、前記伝動軸２４の左端には前記電源ブロック３２と連通した電磁石５５が固定的に設置され、前記電磁石５５の左端面には溝ブロック２３が固定的に設置され、前記溝ブロック２３の中には左方に開口したコイン溝２２が設置され、前記貯金機構６０の下側には伝動機構６１が設置され、前記伝動機構６１は前記運動溝２５の下端壁の中に位置した回転溝３３を含み、前記回転溝３３の下端壁と左端壁とが前記貯金溝１２を連通しており、前記回転溝３３の右端壁には左端が前記貯金溝１２の中に位置した細軸３４が回転できるように設置され、前記回転溝３３の中において細軸３４には台形ブロック５０が固定的に設置され、前記台形ブロック５０の右側には前記細軸３４とスライドできるように連結される弧形面ブロック５４がスライドできるように連結され、前記細軸３４の中には下方に開口した弾性溝５１が設置され、前記弾性溝５１の右端壁には弾性バネ５２が固定的に設置され、前記弾性バネ５２の左端には前記弾性溝５１とスライドできるように連結され、且つ下端が前記弧形面ブロック５４と固定的に連結される弾性ロッド５３が固定的に設置され、前記台形ブロック５０と前記弧形面ブロック５４との間がベルト３１により前記伝動プーリ２６と摩擦により伝動され、前記貯金溝１２の左端壁には太い軸１３が回転できるように設置され、前記太い軸１３には伝動歯車１１が固定的に設置され、前記太い軸１３と前記細軸３４との間には大爪車ブロック３５が設置され、また、前記長ロッド１４が下がる時に前記伝動歯車１１と噛み合うことができ、それにより前記大爪車ブロック３５を回転連動させ、前記大爪車ブロック３５が一方向にしか回転できない。
【００１３】
有益的に、前記移動溝２８の下端壁の中には右方に開口した横向き溝５７が設置され、前記伝動ロッド３０の下端が前記横向き溝５７の中に位置しており、前記横向き溝５７の上下端壁には定位ブロック４７が対称的に固定的に設置され、前記横向き溝５７の左端壁には短軸４９が回転できるように設置され、前記短軸４９の右側には小爪車ブロック４８により長軸５６が設置され、前記長軸５６には回転ブロック４３が固定的に設置され、前記長軸５６の右端には目盛りブロック４５が固定的に設置され、前記目盛りブロック４５の右端面には調節ブロック４４が固定的に設置され、前記目盛りブロック４５の中には六つの数値ブロック４６が均一に植設され、また、前記伝動ロッド３０が下がる時に前記小爪車ブロック４８と噛み合われ、それにより前記長軸５６を回転連動させ、前記伝動ロッド３０が上昇する時に前記長軸５６を回転連動させない。
【００１４】
有益的に、前記水晶貯金箱主体１０の外端面には四つのゴム支え４２が均一に固定的に設置され、前記貯金溝１２の下端壁には閉止板３６がヒンジにより連結され、前記貯金溝１２の下端壁の中には右方に開口したリミット溝４１が設置され、前記閉止板３６の中には左方に開口した弾力溝３９が設置され、前記弾力溝３９の右端壁には弾力バネ３８が固定的に設置され、前記弾力バネ３８の左端には左端が前記リミット溝４１の中に位置した三角ブロック４０が固定的に設置され、前記三角ブロック４０の上端壁の中には長軸５６が植設され、前記閉止板３６の下端面にはハンドル３７が固定的に設置され、また、前記ハンドル３７を引き動かして前記三角ブロック４０を前記リミット溝４１から取り出すことができ、それにより前記貯金溝１２の下端壁を外部と連通させる。
【００１５】
以下、図面１〜５及び上述の本出願の水晶貯金箱の具体的な構成を参照して、本出願の水晶貯金箱の使用方法を詳細に説明する。
【００１６】
電源ブロック３２を起動し、電源ブロック３２が電磁石５５と接触し、電磁石５５を通電させて磁力を発生させ、貯金孔１８の中にコインを投入し、昇降板１９を押し下げ、それにより長ロッド１４をプッシュし下がらせて伝動歯車１１と噛み合わせ、大爪車ブロック３５を回転連動させ、それにより細軸３４を回転連動させ、ベルト３１の摩擦伝動により、溝ブロック２３を一定の角度に回転連動させ、コインが斜め溝２０を通してコイン溝２２の中に入って電磁石５５に吸着され、コイン溝２２内に入るコインが一定の数量に達した時に、伝動ロッド３０を押し下がらせて小爪車ブロック４８と噛み合わせ、それにより目盛りブロック４５を回転連動させ、目盛りブロック４５が数値ブロック４６を回転連動させ、長軸５６を次の数値ブロック４６に向け、コインが所定の数量に達すると、電磁石５５が電源ブロック３２から離れるまで下に移動し、電磁石５５の電源が切れ、コイン溝２２にあるコインが貯金箱１２の中に落下し、閉止板３６を開けてコインを取り出すことができる。
【００１７】
本発明の有益的な効果は、この装置がコインを収納でき、且つ自動的にそれを整理し、所定の値を設定し、取られるコインがいすれも定の値の整数倍に表示され、人々の取りに便利で、自分で集計する必要がなく、時間を節約し、且つ外装は水晶の材質であり、出し入れの状況を示すことができ、装飾効果があり、且つ四つのゴム支えがあり、水晶が壊れるのを防ぐ。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020179078.tif 000003
【図２】
2020179078.tif 000004
【図３】
2020179078.tif 000005
【図４】
2020179078.tif 000006
【図５】
2020179078.tif 000007
【手続補正書】
【提出日】令和2年4月22日(2020.4.22)
【手続補正１】
【補正対象書類名】特許請求の範囲
【補正対象項目名】全文
【補正方法】変更
【補正の内容】
【特許請求の範囲】
【請求項１】
水晶貯金箱主体を含み、前記水晶貯金箱主体の中には球形の貯金溝が設置され、前記貯金溝の中には貯金機構が設置され、前記貯金機構の上端壁には方形ブロックが固定的に設置され、前記方形ブロックの中には上方に開口した方形溝が設置され、前記方形溝の上端壁が貯金孔により外部と連通しており、前記方形ブロックの右端面には斜めブロックが固定的に設置され、前記斜めブロックの中には前記貯金溝と前記方形溝とを連通している斜め溝が設置され、前記方形溝の中には昇降板がスライドできるように設置され、前記昇降板の下端面には下端が前記方形溝と固定的に連結される昇降バネは左右に対称的に固定的に設置され、前記昇降板の下端面の中心位置には下端が前記貯金溝の中に位置した長ロッドが固定的に設置され、前記貯金溝の右端壁には電源ブロックが固定的に設置され、前記貯金溝の右端壁の中には移動溝が設置され、前記移動溝の左端壁が運動溝により前記貯金溝と連通しており、前記移動溝の中には移動ブロックがスライドできるように設置され、前記移動ブロックの下端壁には移動バネと伝動ロッドとが固定的に設置され、前記伝動ロッドが前記移動バネの右側に位置しており、前記移動バネの下端と前記移動溝の下端壁とが固定的に連結され、前記移動ブロックの左端面には左端が前記貯金溝の中に位置した伝動軸が固定的に設置され、前記運動溝の中において伝動軸には伝動プーリが固定的に設置され、前記伝動軸の左端には前記電源ブロックと連通した電磁石が固定的に設置され、前記電磁石の左端面には溝ブロックが固定的に設置され、前記溝ブロックの中には左方に開口したコイン溝が設置され、前記貯金機構の下側には伝動機構が設置され、前記伝動機構は前記運動溝の下端壁の中に位置した回転溝を含み、前記回転溝の下端壁と左端壁とが前記貯金溝を連通しており、前記回転溝の右端壁には左端が前記貯金溝の中に位置した細軸が回転できるように設置され、前記回転溝の中において細軸には台形ブロックが固定的に設置され、前記台形ブロックの右側には前記細軸とスライドできるように連結される弧形面ブロックがスライドできるように連結され、前記細軸の中には下方に開口した弾性溝が設置され、前記弾性溝の右端壁には弾性バネが固定的に設置され、前記弾性バネの左端には前記弾性溝とスライドできるように連結され、且つ下端が前記弧形面ブロックと固定的に連結される弾性ロッドが固定的に設置され、前記台形ブロックと前記弧形面ブロックとの間がベルトにより前記伝動プーリと摩擦により伝動され、前記貯金溝の左端壁には太い軸が回転できるように設置され、前記太い軸には伝動歯車が固定的に設置され、前記太い軸と前記細軸との間には大爪車ブロックが設置され、また、前記長ロッドが下がる時に前記伝動歯車と噛み合うことができ、それにより前記大爪車ブロックを回転連動させ、前記大爪車ブロックが一方向にしか回転できなく、
前記移動溝の下端壁の中には右方に開口した横向き溝が設置され、前記伝動ロッドの下端が前記横向き溝の中に位置しており、前記横向き溝の上下端壁には定位ブロックが対称的に固定的に設置され、前記横向き溝の左端壁には短軸が回転できるように設置され、前記短軸の右側には小爪車ブロックにより長軸が設置され、前記長軸には回転ブロックが固定的に設置され、前記長軸の右端には目盛りブロックが固定的に設置され、前記目盛りブロックの右端面には調節ブロックが固定的に設置され、前記目盛りブロックの中には六つの数値ブロックが均一に植設され、また、前記伝動ロッドが下がる時に前記小爪車ブロックと噛み合われ、それにより前記長軸を回転連動させ、前記伝動ロッドが上昇する時に前記長軸を回転連動させなく、
前記水晶貯金箱主体の外端面には四つのゴム支えが均一に固定的に設置され、前記貯金溝の下端壁には閉止板がヒンジにより連結され、前記貯金溝の下端壁の中には右方に開口したリミット溝が設置され、前記閉止板の中には左方に開口した弾力溝が設置され、前記弾力溝の右端壁には弾力バネが固定的に設置され、前記弾力バネの左端には左端が前記リミット溝の中に位置した三角ブロックが固定的に設置され、前記閉止板の下端面にはハンドルが固定的に設置され、また、前記ハンドルを引き動かして前記三角ブロックを前記リミット溝から取り出すことができ、それにより前記貯金溝の下端壁を外部と連通させ、
前記電源ブロックを起動し、前記電源ブロックが前記電磁石と接触し、前記電磁石を通電させて磁力を発生させ、前記貯金孔の中にコインを投入し、前記昇降板を押し下げ、それにより前記長ロッドをプッシュし下がらせて前記伝動歯車と噛み合わせ、前記大爪車ブロックを回転連動させ、それにより前記細軸を回転連動させ、ベルトの摩擦伝動により、前記溝ブロックを一定の角度に回転連動させ、コインが前記斜め溝を通して前記コイン溝の中に入って前記電磁石に吸着され、前記コイン溝内に入るコインが一定の数量に達した時に、前記伝動ロッドを押し下がらせて前記小爪車ブロックと噛み合わせ、それにより前記目盛りブロックを回転連動させ、前記目盛りブロックが前記数値ブロックを回転連動させ、前記長軸を次の前記数値ブロックに向け、コインが所定の数量に達すると、前記電磁石が前記電源ブロックから離れるまで下に移動し、前記電磁石の電源が切れ、前記コイン溝にあるコインが前記貯金箱の中に落下することを特徴とする水晶貯金箱。
【手続補正２】
【補正対象書類名】明細書
【補正対象項目名】全文
【補正方法】変更
【補正の内容】
【発明の詳細な説明】
【技術分野】
【０００１】
本発明は水晶分野に関わり、具体的には水晶貯金箱である。
【背景技術】
【０００２】
水晶貯金箱は水晶の透明且つ美しい性質を利用して設計された出し入れツールであり、しかし既存の水晶貯金箱の機能は単一であり、ほとんどは外観デザインをしており、内部の出し入れに対しての設計をしていなく、貯金が便利ではなく、且つ水晶製品は壊れやすい。
【先行技術文献】
【特許文献】
【０００３】
【特許文献１】中国特許出願公開第１０８０６５５３２号明細書
【発明の概要】
【発明が解決しようとする課題】
【０００４】
本発明は水晶貯金箱を提供し、既存技術にある上記の欠点を解消することを目的とする。
【課題を解決するための手段】
【０００５】
本発明の水晶貯金箱は、水晶貯金箱主体を含み、前記水晶貯金箱主体の中には球形の貯金溝が設置され、前記貯金溝の中には貯金機構が設置され、前記貯金機構の上端壁には方形ブロックが固定的に設置され、前記方形ブロックの中には上方に開口した方形溝が設置され、前記方形溝の上端壁が貯金孔により外部と連通しており、前記方形ブロックの右端面には斜めブロックが固定的に設置され、前記斜めブロックの中には前記貯金溝と前記方形溝とを連通している斜め溝が設置され、前記方形溝の中には昇降板がスライドできるように設置され、前記昇降板の下端面には下端が前記方形溝と固定的に連結される昇降バネは左右に対称的に固定的に設置され、前記昇降板の下端面の中心位置には下端が前記貯金溝の中に位置した長ロッドが固定的に設置され、前記貯金溝の右端壁には電源ブロックが固定的に設置され、前記貯金溝の右端壁の中には移動溝が設置され、前記移動溝の左端壁が運動溝により前記貯金溝と連通しており、前記移動溝の中には移動ブロックがスライドできるように設置され、前記移動ブロックの下端壁には移動バネと伝動ロッドとが固定的に設置され、前記伝動ロッドが前記移動バネの右側に位置しており、前記移動バネの下端と前記移動溝の下端壁とが固定的に連結され、前記移動ブロックの左端面には左端が前記貯金溝の中に位置した伝動軸が固定的に設置され、前記運動溝の中において伝動軸には伝動プーリが固定的に設置され、前記伝動軸の左端には前記電源ブロックと連通した電磁石が固定的に設置され、前記電磁石の左端面には溝ブロックが固定的に設置され、前記溝ブロックの中には左方に開口したコイン溝が設置され、前記貯金機構の下側には伝動機構が設置され、前記伝動機構は前記運動溝の下端壁の中に位置した回転溝を含み、前記回転溝の下端壁と左端壁とが前記貯金溝を連通しており、前記回転溝の右端壁には左端が前記貯金溝の中に位置した細軸が回転できるように設置され、前記回転溝の中において細軸には台形ブロックが固定的に設置され、前記台形ブロックの右側には前記細軸とスライドできるように連結される弧形面ブロックがスライドできるように連結され、前記細軸の中には下方に開口した弾性溝が設置され、前記弾性溝の右端壁には弾性バネが固定的に設置され、前記弾性バネの左端には前記弾性溝とスライドできるように連結され、且つ下端が前記弧形面ブロックと固定的に連結される弾性ロッドが固定的に設置され、前記台形ブロックと前記弧形面ブロックとの間がベルトにより前記伝動プーリと摩擦により伝動され、前記貯金溝の左端壁には太い軸が回転できるように設置され、前記太い軸には伝動歯車が固定的に設置され、前記太い軸と前記細軸との間には大爪車ブロックが設置され、また、前記長ロッドが下がる時に前記伝動歯車と噛み合うことができ、それにより前記大爪車ブロックを回転連動させ、前記大爪車ブロックが一方向にしか回転できない。
【０００６】
更の技術プラン、前記移動溝の下端壁の中には右方に開口した横向き溝が設置され、前記伝動ロッドの下端が前記横向き溝の中に位置しており、前記横向き溝の上下端壁には定位ブロックが対称的に固定的に設置され、前記横向き溝の左端壁には短軸が回転できるように設置され、前記短軸の右側には小爪車ブロックにより長軸が設置され、前記長軸には回転ブロックが固定的に設置され、前記長軸の右端には目盛りブロックが固定的に設置され、前記目盛りブロックの右端面には調節ブロックが固定的に設置され、前記目盛りブロックの中には六つの数値ブロックが均一に植設され、また、前記伝動ロッドが下がる時に前記小爪車ブロックと噛み合われ、それにより前記長軸を回転連動させ、前記伝動ロッドが上昇する時に前記長軸を回転連動させない。
【０００７】
更の技術プラン、前記水晶貯金箱主体の外端面には四つのゴム支えが均一に固定的に設置され、前記貯金溝の下端壁には閉止板がヒンジにより連結され、前記貯金溝の下端壁の中には右方に開口したリミット溝が設置され、前記閉止板の中には左方に開口した弾力溝が設置され、前記弾力溝の右端壁には弾力バネが固定的に設置され、前記弾力バネの左端には左端が前記リミット溝の中に位置した三角ブロックが固定的に設置され、前記閉止板の下端面にはハンドルが固定的に設置され、また、前記ハンドルを引き動かして前記三角ブロックを前記リミット溝から取り出すことができ、それにより前記貯金溝の下端壁を外部と連通させる。
【発明の効果】
【０００８】
本発明の有益的な効果は、この装置がコインを収納でき、且つ自動的にそれを整理し、所定の値を設定し、取られるコインがいすれも定の値の整数倍に表示され、人々の取りに便利で、自分で集計する必要がなく、時間を節約し、且つ外装は水晶の材質であり、出し入れの状況を示すことができ、装飾効果があり、且つ四つのゴム支えがあり、水晶が壊れるのを防ぐ。
【図面の簡単な説明】
【０００９】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１０】
【図１】図１は本発明の水晶貯金箱の全体全断面の正面構成概略図
【図２】図２は図１の中のＡの拡大構成概略図
【図３】図３は図１の中のＢの拡大構成概略図
【図４】図４は図１の中のＣ−Ｃの拡大構成概略図
【図５】図５は図２の中のＤ−Ｄの構成概略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜５を参照し、本発明の水晶貯金箱は、水晶貯金箱主体１０を含み、前記水晶貯金箱主体１０の中には球形の貯金溝１２が設置され、前記貯金溝１２の中には貯金機構６０が設置され、前記貯金機構６０の上端壁には方形ブロック１６が固定的に設置され、前記方形ブロック１６の中には上方に開口した方形溝１７が設置され、前記方形溝１７の上端壁が貯金孔１８により外部と連通しており、前記方形ブロック１６の右端面には斜めブロック２１が固定的に設置され、前記斜めブロック２１の中には前記貯金溝１２と前記方形溝１７とを連通している斜め溝２０が設置され、前記方形溝１７の中には昇降板１９がスライドできるように設置され、前記昇降板１９の下端面には下端が前記方形溝１７と固定的に連結される昇降バネ１５は左右に対称的に固定的に設置され、前記昇降板１９の下端面の中心位置には下端が前記貯金溝１２の中に位置した長ロッド１４が固定的に設置され、前記貯金溝１２の右端壁には電源ブロック３２が固定的に設置され、前記貯金溝１２の右端壁の中には移動溝２８が設置され、前記移動溝２８の左端壁が運動溝２５により前記貯金溝１２と連通しており、前記移動溝２８の中には移動ブロック２７がスライドできるように設置され、前記移動ブロック２７の下端壁には移動バネ２９と伝動ロッド３０とが固定的に設置され、前記伝動ロッド３０が前記移動バネ２９の右側に位置しており、前記移動バネ２９の下端と前記移動溝２８の下端壁とが固定的に連結され、前記移動ブロック２７の左端面には左端が前記貯金溝１２の中に位置した伝動軸２４が固定的に設置され、前記運動溝２５の中において伝動軸２４には伝動プーリ２６が固定的に設置され、前記伝動軸２４の左端には前記電源ブロック３２と連通した電磁石５５が固定的に設置され、前記電磁石５５の左端面には溝ブロック２３が固定的に設置され、前記溝ブロック２３の中には左方に開口したコイン溝２２が設置され、前記貯金機構６０の下側には伝動機構６１が設置され、前記伝動機構６１は前記運動溝２５の下端壁の中に位置した回転溝３３を含み、前記回転溝３３の下端壁と左端壁とが前記貯金溝１２を連通しており、前記回転溝３３の右端壁には左端が前記貯金溝１２の中に位置した細軸３４が回転できるように設置され、前記回転溝３３の中において細軸３４には台形ブロック５０が固定的に設置され、前記台形ブロック５０の右側には前記細軸３４とスライドできるように連結される弧形面ブロック５４がスライドできるように連結され、前記細軸３４の中には下方に開口した弾性溝５１が設置され、前記弾性溝５１の右端壁には弾性バネ５２が固定的に設置され、前記弾性バネ５２の左端には前記弾性溝５１とスライドできるように連結され、且つ下端が前記弧形面ブロック５４と固定的に連結される弾性ロッド５３が固定的に設置され、前記台形ブロック５０と前記弧形面ブロック５４との間がベルト３１により前記伝動プーリ２６と摩擦により伝動され、前記貯金溝１２の左端壁には太い軸１３が回転できるように設置され、前記太い軸１３には伝動歯車１１が固定的に設置され、前記太い軸１３と前記細軸３４との間には大爪車ブロック３５が設置され、また、前記長ロッド１４が下がる時に前記伝動歯車１１と噛み合うことができ、それにより前記大爪車ブロック３５を回転連動させ、前記大爪車ブロック３５が一方向にしか回転できない。
【００１３】
有益的に、前記移動溝２８の下端壁の中には右方に開口した横向き溝５７が設置され、前記伝動ロッド３０の下端が前記横向き溝５７の中に位置しており、前記横向き溝５７の上下端壁には定位ブロック４７が対称的に固定的に設置され、前記横向き溝５７の左端壁には短軸４９が回転できるように設置され、前記短軸４９の右側には小爪車ブロック４８により長軸５６が設置され、前記長軸５６には回転ブロック４３が固定的に設置され、前記長軸５６の右端には目盛りブロック４５が固定的に設置され、前記目盛りブロック４５の右端面には調節ブロック４４が固定的に設置され、前記目盛りブロック４５の中には六つの数値ブロック４６が均一に植設され、また、前記伝動ロッド３０が下がる時に前記小爪車ブロック４８と噛み合われ、それにより前記長軸５６を回転連動させ、前記伝動ロッド３０が上昇する時に前記長軸５６を回転連動させない。
【００１４】
有益的に、前記水晶貯金箱主体１０の外端面には四つのゴム支え４２が均一に固定的に設置され、前記貯金溝１２の下端壁には閉止板３６がヒンジにより連結され、前記貯金溝１２の下端壁の中には右方に開口したリミット溝４１が設置され、前記閉止板３６の中には左方に開口した弾力溝３９が設置され、前記弾力溝３９の右端壁には弾力バネ３８が固定的に設置され、前記弾力バネ３８の左端には左端が前記リミット溝４１の中に位置した三角ブロック４０が固定的に設置され、前記三角ブロック４０の上端壁の中には長軸５６が植設され、前記閉止板３６の下端面にはハンドル３７が固定的に設置され、また、前記ハンドル３７を引き動かして前記三角ブロック４０を前記リミット溝４１から取り出すことができ、それにより前記貯金溝１２の下端壁を外部と連通させる。
【００１５】
以下、図面１〜５及び上述の本出願の水晶貯金箱の具体的な構成を参照して、本出願の水晶貯金箱の使用方法を詳細に説明する。
【００１６】
電源ブロック３２を起動し、電源ブロック３２が電磁石５５と接触し、電磁石５５を通電させて磁力を発生させ、貯金孔１８の中にコインを投入し、昇降板１９を押し下げ、それにより長ロッド１４をプッシュし下がらせて伝動歯車１１と噛み合わせ、大爪車ブロック３５を回転連動させ、それにより細軸３４を回転連動させ、ベルト３１の摩擦伝動により、溝ブロック２３を一定の角度に回転連動させ、コインが斜め溝２０を通してコイン溝２２の中に入って電磁石５５に吸着され、コイン溝２２内に入るコインが一定の数量に達した時に、伝動ロッド３０を押し下がらせて小爪車ブロック４８と噛み合わせ、それにより目盛りブロック４５を回転連動させ、目盛りブロック４５が数値ブロック４６を回転連動させ、長軸５６を次の数値ブロック４６に向け、コインが所定の数量に達すると、電磁石５５が電源ブロック３２から離れるまで下に移動し、電磁石５５の電源が切れ、コイン溝２２にあるコインが貯金箱１２の中に落下し、閉止板３６を開けてコインを取り出すことができる。
【００１７】
本発明の有益的な効果は、この装置がコインを収納でき、且つ自動的にそれを整理し、所定の値を設定し、取られるコインがいすれも定の値の整数倍に表示され、人々の取りに便利で、自分で集計する必要がなく、時間を節約し、且つ外装は水晶の材質であり、出し入れの状況を示すことができ、装飾効果があり、且つ四つのゴム支えがあり、水晶が壊れるのを防ぐ。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正３】
【補正対象書類名】図面
【補正対象項目名】図２
【補正方法】変更
【補正の内容】
【図２】
2020179078.tif 000008
【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
水晶貯金箱主体を含み、前記水晶貯金箱主体の中には球形の貯金溝が設置され、前記貯金溝の中には貯金機構が設置され、前記貯金機構の上端壁には方形ブロックが固定的に設置され、前記方形ブロックの中には上方に開口した方形溝が設置され、前記方形溝の上端壁が貯金孔により外部と連通しており、前記方形ブロックの右端面には斜めブロックが固定的に設置され、前記斜めブロックの中には前記貯金溝と前記方形溝とを連通している斜め溝が設置され、前記方形溝の中には昇降板がスライドできるように設置され、前記昇降板の下端面には下端が前記方形溝と固定的に連結される昇降バネは左右に対称的に固定的に設置され、前記昇降板の下端面の中心位置には下端が前記貯金溝の中に位置した長ロッドが固定的に設置され、前記貯金溝の右端壁には電源ブロックが固定的に設置され、前記貯金溝の右端壁の中には移動溝が設置され、前記移動溝の左端壁が運動溝により前記貯金溝と連通しており、前記移動溝の中には移動ブロックがスライドできるように設置され、前記移動ブロックの下端壁には移動バネと伝動ロッドとが固定的に設置され、前記伝動ロッドが前記移動バネの右側に位置しており、前記移動バネの下端と前記移動溝の下端壁とが固定的に連結され、前記移動ブロックの左端面には左端が前記貯金溝の中に位置した伝動軸が固定的に設置され、前記運動溝の中において伝動軸には伝動プーリが固定的に設置され、前記伝動軸の左端には前記電源ブロックと連通した電磁石が固定的に設置され、前記電磁石の左端面には溝ブロックが固定的に設置され、前記溝ブロックの中には左方に開口したコイン溝が設置され、前記貯金機構の下側には伝動機構が設置され、前記伝動機構は前記運動溝の下端壁の中に位置した回転溝を含み、前記回転溝の下端壁と左端壁とが前記貯金溝を連通しており、前記回転溝の右端壁には左端が前記貯金溝の中に位置した細軸が回転できるように設置され、前記回転溝の中において細軸には台形ブロックが固定的に設置され、前記台形ブロックの右側には前記細軸とスライドできるように連結される弧形面ブロックがスライドできるように連結され、前記細軸の中には下方に開口した弾性溝が設置され、前記弾性溝の右端壁には弾性バネが固定的に設置され、前記弾性バネの左端には前記弾性溝とスライドできるように連結され、且つ下端が前記弧形面ブロックと固定的に連結される弾性ロッドが固定的に設置され、前記台形ブロックと前記弧形面ブロックとの間がベルトにより前記伝動プーリと摩擦により伝動され、前記貯金溝の左端壁には太い軸が回転できるように設置され、前記太い軸には伝動歯車が固定的に設置され、前記太い軸と前記細軸との間には大爪車ブロックが設置され、また、前記長ロッドが下がる時に前記伝動歯車と噛み合うことができ、それにより前記大爪車ブロックを回転連動させ、前記大爪車ブロックが一方向にしか回転できなく、
前記移動溝の下端壁の中には右方に開口した横向き溝が設置され、前記伝動ロッドの下端が前記横向き溝の中に位置しており、前記横向き溝の上下端壁には定位ブロックが対称的に固定的に設置され、前記横向き溝の左端壁には短軸が回転できるように設置され、前記短軸の右側には小爪車ブロックにより長軸が設置され、前記長軸には回転ブロックが固定的に設置され、前記長軸の右端には目盛りブロックが固定的に設置され、前記目盛りブロックの右端面には調節ブロックが固定的に設置され、前記目盛りブロックの中には六つの数値ブロックが均一に植設され、また、前記伝動ロッドが下がる時に前記小爪車ブロックと噛み合われ、それにより前記長軸を回転連動させ、前記伝動ロッドが上昇する時に前記長軸を回転連動させなく、
前記水晶貯金箱主体の外端面には四つのゴム支えが均一に固定的に設置され、前記貯金溝の下端壁には閉止板がヒンジにより連結され、前記貯金溝の下端壁の中には右方に開口したリミット溝が設置され、前記閉止板の中には左方に開口した弾力溝が設置され、前記弾力溝の右端壁には弾力バネが固定的に設置され、前記弾力バネの左端には左端が前記リミット溝の中に位置した三角ブロックが固定的に設置され、前記閉止板の下端面にはハンドルが固定的に設置され、また、前記ハンドルを引き動かして前記三角ブロックを前記リミット溝から取り出すことができ、それにより前記貯金溝の下端壁を外部と連通させ、
前記電源ブロックを起動し、前記電源ブロックが前記電磁石と接触し、前記電磁石を通電させて磁力を発生させ、前記貯金孔の中にコインを投入し、前記昇降板を押し下げ、それにより前記長ロッドをプッシュし下がらせて前記伝動歯車と噛み合わせ、前記大爪車ブロックを回転連動させ、それにより前記細軸を回転連動させ、ベルトの摩擦伝動により、前記溝ブロックを一定の角度に回転連動させ、コインが前記斜め溝を通して前記コイン溝の中に入って前記電磁石に吸着され、前記コイン溝内に入るコインが一定の数量に達した時に、前記伝動ロッドを押し下がらせて前記小爪車ブロックと噛み合わせ、それにより前記目盛りブロックを回転連動させ、前記目盛りブロックが前記数値ブロックを回転連動させ、前記長軸を次の前記数値ブロックに向け、コインが所定の数量に達すると、前記電磁石が前記電源ブロックから離れるまで下に移動し、前記電磁石の電源が切れ、前記コイン溝にあるコインが前記貯金溝の中に落下することを特徴とする水晶貯金箱。
【手続補正２】
【補正対象書類名】明細書
【補正対象項目名】全文
【補正方法】変更
【補正の内容】
【発明の詳細な説明】
【技術分野】
【０００１】
本発明は水晶分野に関わり、具体的には水晶貯金箱である。
【背景技術】
【０００２】
水晶貯金箱は水晶の透明且つ美しい性質を利用して設計された出し入れツールであり、しかし既存の水晶貯金箱の機能は単一であり、ほとんどは外観デザインをしており、内部の出し入れに対しての設計をしていなく、貯金が便利ではなく、且つ水晶製品は壊れやすい。
【先行技術文献】
【特許文献】
【０００３】
【特許文献１】中国特許出願公開第１０８０６５５３２号明細書
【発明の概要】
【発明が解決しようとする課題】
【０００４】
本発明は水晶貯金箱を提供し、既存技術にある上記の欠点を解消することを目的とする。
【課題を解決するための手段】
【０００５】
本発明の水晶貯金箱は、水晶貯金箱主体を含み、前記水晶貯金箱主体の中には球形の貯金溝が設置され、前記貯金溝の中には貯金機構が設置され、前記貯金機構の上端壁には方形ブロックが固定的に設置され、前記方形ブロックの中には上方に開口した方形溝が設置され、前記方形溝の上端壁が貯金孔により外部と連通しており、前記方形ブロックの右端面には斜めブロックが固定的に設置され、前記斜めブロックの中には前記貯金溝と前記方形溝とを連通している斜め溝が設置され、前記方形溝の中には昇降板がスライドできるように設置され、前記昇降板の下端面には下端が前記方形溝と固定的に連結される昇降バネは左右に対称的に固定的に設置され、前記昇降板の下端面の中心位置には下端が前記貯金溝の中に位置した長ロッドが固定的に設置され、前記貯金溝の右端壁には電源ブロックが固定的に設置され、前記貯金溝の右端壁の中には移動溝が設置され、前記移動溝の左端壁が運動溝により前記貯金溝と連通しており、前記移動溝の中には移動ブロックがスライドできるように設置され、前記移動ブロックの下端壁には移動バネと伝動ロッドとが固定的に設置され、前記伝動ロッドが前記移動バネの右側に位置しており、前記移動バネの下端と前記移動溝の下端壁とが固定的に連結され、前記移動ブロックの左端面には左端が前記貯金溝の中に位置した伝動軸が固定的に設置され、前記運動溝の中において伝動軸には伝動プーリが固定的に設置され、前記伝動軸の左端には前記電源ブロックと連通した電磁石が固定的に設置され、前記電磁石の左端面には溝ブロックが固定的に設置され、前記溝ブロックの中には左方に開口したコイン溝が設置され、前記貯金機構の下側には伝動機構が設置され、前記伝動機構は前記運動溝の下端壁の中に位置した回転溝を含み、前記回転溝の下端壁と左端壁とが前記貯金溝を連通しており、前記回転溝の右端壁には左端が前記貯金溝の中に位置した細軸が回転できるように設置され、前記回転溝の中において細軸には台形ブロックが固定的に設置され、前記台形ブロックの右側には前記細軸とスライドできるように連結される弧形面ブロックがスライドできるように連結され、前記細軸の中には下方に開口した弾性溝が設置され、前記弾性溝の右端壁には弾性バネが固定的に設置され、前記弾性バネの左端には前記弾性溝とスライドできるように連結され、且つ下端が前記弧形面ブロックと固定的に連結される弾性ロッドが固定的に設置され、前記台形ブロックと前記弧形面ブロックとの間がベルトにより前記伝動プーリと摩擦により伝動され、前記貯金溝の左端壁には太い軸が回転できるように設置され、前記太い軸には伝動歯車が固定的に設置され、前記太い軸と前記細軸との間には大爪車ブロックが設置され、また、前記長ロッドが下がる時に前記伝動歯車と噛み合うことができ、それにより前記大爪車ブロックを回転連動させ、前記大爪車ブロックが一方向にしか回転できない。
【０００６】
更の技術プラン、前記移動溝の下端壁の中には右方に開口した横向き溝が設置され、前記伝動ロッドの下端が前記横向き溝の中に位置しており、前記横向き溝の上下端壁には定位ブロックが対称的に固定的に設置され、前記横向き溝の左端壁には短軸が回転できるように設置され、前記短軸の右側には小爪車ブロックにより長軸が設置され、前記長軸には回転ブロックが固定的に設置され、前記長軸の右端には目盛りブロックが固定的に設置され、前記目盛りブロックの右端面には調節ブロックが固定的に設置され、前記目盛りブロックの中には六つの数値ブロックが均一に植設され、また、前記伝動ロッドが下がる時に前記小爪車ブロックと噛み合われ、それにより前記長軸を回転連動させ、前記伝動ロッドが上昇する時に前記長軸を回転連動させない。
【０００７】
更の技術プラン、前記水晶貯金箱主体の外端面には四つのゴム支えが均一に固定的に設置され、前記貯金溝の下端壁には閉止板がヒンジにより連結され、前記貯金溝の下端壁の中には右方に開口したリミット溝が設置され、前記閉止板の中には左方に開口した弾力溝が設置され、前記弾力溝の右端壁には弾力バネが固定的に設置され、前記弾力バネの左端には左端が前記リミット溝の中に位置した三角ブロックが固定的に設置され、前記閉止板の下端面にはハンドルが固定的に設置され、また、前記ハンドルを引き動かして前記三角ブロックを前記リミット溝から取り出すことができ、それにより前記貯金溝の下端壁を外部と連通させる。
【発明の効果】
【０００８】
本発明の有益的な効果は、この装置がコインを収納でき、且つ自動的にそれを整理し、所定の値を設定し、取られるコインがいすれも定の値の整数倍に表示され、人々の取りに便利で、自分で集計する必要がなく、時間を節約し、且つ外装は水晶の材質であり、出し入れの状況を示すことができ、装飾効果があり、且つ四つのゴム支えがあり、水晶が壊れるのを防ぐ。
【図面の簡単な説明】
【０００９】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１０】
【図１】図１は本発明の水晶貯金箱の全体全断面の正面構成概略図
【図２】図２は図１の中のＡの拡大構成概略図
【図３】図３は図１の中のＢの拡大構成概略図
【図４】図４は図１の中のＣ−Ｃの拡大構成概略図
【図５】図５は図２の中のＤ−Ｄの構成概略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜５を参照し、本発明の水晶貯金箱は、水晶貯金箱主体１０を含み、前記水晶貯金箱主体１０の中には球形の貯金溝１２が設置され、前記貯金溝１２の中には貯金機構６０が設置され、前記貯金機構６０の上端壁には方形ブロック１６が固定的に設置され、前記方形ブロック１６の中には上方に開口した方形溝１７が設置され、前記方形溝１７の上端壁が貯金孔１８により外部と連通しており、前記方形ブロック１６の右端面には斜めブロック２１が固定的に設置され、前記斜めブロック２１の中には前記貯金溝１２と前記方形溝１７とを連通している斜め溝２０が設置され、前記方形溝１７の中には昇降板１９がスライドできるように設置され、前記昇降板１９の下端面には下端が前記方形溝１７と固定的に連結される昇降バネ１５は左右に対称的に固定的に設置され、前記昇降板１９の下端面の中心位置には下端が前記貯金溝１２の中に位置した長ロッド１４が固定的に設置され、前記貯金溝１２の右端壁には電源ブロック３２が固定的に設置され、前記貯金溝１２の右端壁の中には移動溝２８が設置され、前記移動溝２８の左端壁が運動溝２５により前記貯金溝１２と連通しており、前記移動溝２８の中には移動ブロック２７がスライドできるように設置され、前記移動ブロック２７の下端壁には移動バネ２９と伝動ロッド３０とが固定的に設置され、前記伝動ロッド３０が前記移動バネ２９の右側に位置しており、前記移動バネ２９の下端と前記移動溝２８の下端壁とが固定的に連結され、前記移動ブロック２７の左端面には左端が前記貯金溝１２の中に位置した伝動軸２４が固定的に設置され、前記運動溝２５の中において伝動軸２４には伝動プーリ２６が固定的に設置され、前記伝動軸２４の左端には前記電源ブロック３２と連通した電磁石５５が固定的に設置され、前記電磁石５５の左端面には溝ブロック２３が固定的に設置され、前記溝ブロック２３の中には左方に開口したコイン溝２２が設置され、前記貯金機構６０の下側には伝動機構６１が設置され、前記伝動機構６１は前記運動溝２５の下端壁の中に位置した回転溝３３を含み、前記回転溝３３の下端壁と左端壁とが前記貯金溝１２を連通しており、前記回転溝３３の右端壁には左端が前記貯金溝１２の中に位置した細軸３４が回転できるように設置され、前記回転溝３３の中において細軸３４には台形ブロック５０が固定的に設置され、前記台形ブロック５０の右側には前記細軸３４とスライドできるように連結される弧形面ブロック５４がスライドできるように連結され、前記細軸３４の中には下方に開口した弾性溝５１が設置され、前記弾性溝５１の右端壁には弾性バネ５２が固定的に設置され、前記弾性バネ５２の左端には前記弾性溝５１とスライドできるように連結され、且つ下端が前記弧形面ブロック５４と固定的に連結される弾性ロッド５３が固定的に設置され、前記台形ブロック５０と前記弧形面ブロック５４との間がベルト３１により前記伝動プーリ２６と摩擦により伝動され、前記貯金溝１２の左端壁には太い軸１３が回転できるように設置され、前記太い軸１３には伝動歯車１１が固定的に設置され、前記太い軸１３と前記細軸３４との間には大爪車ブロック３５が設置され、また、前記長ロッド１４が下がる時に前記伝動歯車１１と噛み合うことができ、それにより前記大爪車ブロック３５を回転連動させ、前記大爪車ブロック３５が一方向にしか回転できない。
【００１３】
有益的に、前記移動溝２８の下端壁の中には右方に開口した横向き溝５７が設置され、前記伝動ロッド３０の下端が前記横向き溝５７の中に位置しており、前記横向き溝５７の上下端壁には定位ブロック４７が対称的に固定的に設置され、前記横向き溝５７の左端壁には短軸４９が回転できるように設置され、前記短軸４９の右側には小爪車ブロック４８により長軸５６が設置され、前記長軸５６には回転ブロック４３が固定的に設置され、前記長軸５６の右端には目盛りブロック４５が固定的に設置され、前記目盛りブロック４５の右端面には調節ブロック４４が固定的に設置され、前記目盛りブロック４５の中には六つの数値ブロック４６が均一に植設され、また、前記伝動ロッド３０が下がる時に前記小爪車ブロック４８と噛み合われ、それにより前記長軸５６を回転連動させ、前記伝動ロッド３０が上昇する時に前記長軸５６を回転連動させない。
【００１４】
有益的に、前記水晶貯金箱主体１０の外端面には四つのゴム支え４２が均一に固定的に設置され、前記貯金溝１２の下端壁には閉止板３６がヒンジにより連結され、前記貯金溝１２の下端壁の中には右方に開口したリミット溝４１が設置され、前記閉止板３６の中には左方に開口した弾力溝３９が設置され、前記弾力溝３９の右端壁には弾力バネ３８が固定的に設置され、前記弾力バネ３８の左端には左端が前記リミット溝４１の中に位置した三角ブロック４０が固定的に設置され、前記閉止板３６の下端面にはハンドル３７が固定的に設置され、また、前記ハンドル３７を引き動かして前記三角ブロック４０を前記リミット溝４１から取り出すことができ、それにより前記貯金溝１２の下端壁を外部と連通させる。
【００１５】
以下、図面１〜５及び上述の本出願の水晶貯金箱の具体的な構成を参照して、本出願の水晶貯金箱の使用方法を詳細に説明する。
【００１６】
電源ブロック３２を起動し、電源ブロック３２が電磁石５５と接触し、電磁石５５を通電させて磁力を発生させ、貯金孔１８の中にコインを投入し、昇降板１９を押し下げ、それにより長ロッド１４をプッシュし下がらせて伝動歯車１１と噛み合わせ、大爪車ブロック３５を回転連動させ、それにより細軸３４を回転連動させ、ベルト３１の摩擦伝動により、溝ブロック２３を一定の角度に回転連動させ、コインが斜め溝２０を通してコイン溝２２の中に入って電磁石５５に吸着され、コイン溝２２内に入るコインが一定の数量に達した時に、伝動ロッド３０を押し下がらせて小爪車ブロック４８と噛み合わせ、それにより目盛りブロック４５を回転連動させ、目盛りブロック４５が数値ブロック４６を回転連動させ、長軸５６を次の数値ブロック４６に向け、コインが所定の数量に達すると、電磁石５５が電源ブロック３２から離れるまで下に移動し、電磁石５５の電源が切れ、コイン溝２２にあるコインが貯金溝１２の中に落下し、閉止板３６を開けてコインを取り出すことができる。
【００１７】
本発明の有益的な効果は、この装置がコインを収納でき、且つ自動的にそれを整理し、所定の値を設定し、取られるコインがいすれも定の値の整数倍に表示され、人々の取りに便利で、自分で集計する必要がなく、時間を節約し、且つ外装は水晶の材質であり、出し入れの状況を示すことができ、装飾効果があり、且つ四つのゴム支えがあり、水晶が壊れるのを防ぐ。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正３】
【補正対象書類名】図面
【補正対象項目名】図２
【補正方法】変更
【補正の内容】
【図２】
2020179078.tif 000009